(57)【要約】【課題】鉄筋コンクリート建築物等の床、壁、梁等のコンクリート躯体に配管を通すための開口部を施工する際に、簡単かつ安価な構造によって配管からの発生音を大幅に減衰すると共に、配管を確実に支持し得る構造の建築用スリーブとその施工方法を提供することを目的とする。【解決手段】建築物のコンクリート躯体に配管を貫装するための開口部に用いられる建築用スリーブ１であって、スリーブ本体２と該スリーブ本体２の外周面に設けられた振動減衰性を有する遮音層３とからなるものである。【選択図】図１
2004068342.tif 000002
【特許請求の範囲】
【請求項１】
建築物のコンクリート躯体に配管を貫装するための開口部に用いられる建築用スリーブであって、スリーブ本体と該スリーブ本体の外周面に設けられた振動減衰性を有する遮音層とからなり、前記開口部に装着された前記建築用スリーブが前記遮音層を介して前記開口部周囲のコンクリート躯体に接触すると共に、該建築用スリーブとその内部に貫装された配管との間にモルタルが充填された状態で前記配管から伝送される振動音が前記遮音層によって減衰されるようにしたことを特徴とする建築用スリーブ。
【請求項２】
前記スリーブ本体と前記遮音層とをテーパ状に形成したことを特徴とする請求項１記載の建築用スリーブ。
【請求項３】
前記遮音層は、振動減衰性を有する弾性ゴムから構成されたことを特徴とする請求項１又は２記載の建築用スリーブ。
【請求項４】
前記遮音層が一体又は別体で前記スリーブ本体の上端および下端を包囲するように設けられていることを特徴とする請求項１、２又は３記載の建築用スリーブ。
【請求項５】
請求項１、２、３又は４記載の建築用スリーブにおいて、コンクリートを打設する以前に型枠の上に前記建築用スリーブを取付固定する工程と、コンクリートを充填する工程と、型枠を撤去する工程と、配管を貫装する工程と、スリーブ本体と配管の間の環状部にモルタルを充填する工程とを有することを特徴とする建築用スリーブの施工方法。
【発明の詳細な説明】
【０００１】
【発明の属する技術分野】
本発明は、鉄筋コンクリート建築物等の床、壁、梁等のコンクリート躯体に配管を貫装するための開口部を施工する際に用いる建築用スリーブ及びその施工方法に関する。
【０００２】
【従来の技術】
ビルやマンション等の鉄筋コンクリート建築物に給排水、電気、温水、ガス等の配管を通すために、床、壁、梁等のコンクリート躯体に開口部を形成する際、厚紙による紙製スリーブのほか、鉄製等による短管、金属板によるスパイラル管、又は金属板によるテーパ管等の金属製スリーブが用いられている。
【０００３】
紙製スリーブを用いた場合、該スリーブを型枠に取り付けた後、スリーブの外周にコンクリートを打設し、コンクリートが所定強度まで固まった後、この紙製スリーブを除去することにより形成された開口部に配管を通し、次いで配管と開口部との間にモルタルを充填することによって配管を固定する。この場合、紙製スリーブは除去されているため、配管外周のモルタルと周囲の打設コンクリートとは直接接触した状態になっている。
【０００４】
また、金属製スリーブを用いた場合、図８に示すように、該金属製スリーブ２０を型枠に取り付けた後、その外周にコンクリート６を打設し、金属製スリーブ２０を撤去せずにコンクリート６中に打ち込んでしまい、スリーブ２０中に配管４を通してから、配管４との間にモルタル７を充填することによって配管４を固定する。
【０００５】
いずれにしても、床、壁、梁等のコンクリート躯体と、開口部にモルタルを充填して固定された配管とは、直接或いは金属製スリーブ等を介して連結されているため、配管中に流体が流れた際に、配管内部で発生した衝撃や振動がコンクリート躯体に伝達され、これがマンションやビル等に騒音を発生させる原因となっていた。
【０００６】
そのような騒音を防止するために、従来は、例えば共同住宅等においては、振動音の出る排水管等の位置を、寝室や居間等の居住空間から遠ざけるというような設計上の配慮で対処していた。
【０００７】
なお、近年においては、共同住宅等においても遮音性を高める設計がなされているが、外部の騒音を遮断することが、逆に、建物内の音を聞き取りやすくする結果となり、配管等からの発生音をかえって不快に感じさせる結果となっていた。
【０００８】
このような配管等からの発生音を防止するために、図９に示すように、配管４の周りにモルタルではなくてロックウール等の遮音効果のある不燃材２２を充填することにより、配管４内部からの振動音を直接躯体に伝達しないようにすることが行われている。
【０００９】
ところが、このように配管４の周りにロックウール等の不燃材２２を充填する方法では、配管４の重量を支持するのに不十分であるため、配管４の外側に溶接等の方法で取り付けた支持ブラケット２３を用い、さらに、床や梁との支持面の間に防振ゴム２４を挿入して振動音が伝達するのを防止する方法が用いられていた。
【００１０】
しかしながら、上記のように支持ブラケット２３を用いたり、防振ゴム２４を用いたりする方法は、工事に費用と手間を要するうえ、支持ブラケット２３の設置スペースを必要とする等の問題があった。
【００１１】
【発明が解決しようとする課題】
本発明は、上記の問題点を解消するためになされたもので、鉄筋コンクリート建築物等の床、壁、梁等のコンクリート躯体に配管を通すための開口部を施工する際に、簡単かつ安価な構造によって配管からの発生音を大幅に減衰すると共に、配管を確実に支持し得る構造の建築用スリーブとその施工方法を提供することを目的とする。
【００１２】
【課題を解決するための手段】
上記の目的を達成するために、本発明の請求項１の建築用スリーブは、建築物のコンクリート躯体に配管を貫装するための開口部に用いられる建築用スリーブであって、スリーブ本体と該スリーブ本体の外周面に設けられた振動減衰性を有する遮音層とからなり、前記開口部に装着された前記建築用スリーブが前記遮音層を介して前記開口部周囲のコンクリート躯体に接触すると共に、該建築用スリーブとその内部に貫装された配管との間にモルタルが充填された状態で前記配管から伝送される振動音が前記遮音層によって減衰されるようにしたことを特徴とする。
【００１３】
また、本発明における請求項２の建築用スリーブは、請求項１において、前記スリーブ本体と前記遮音層とをテーパ状に形成したことを特徴とする。
【００１４】
また、本発明における請求項３の建築用スリーブは、請求項１又は２において、前記遮音層は、振動減衰性を有する弾性ゴムから構成されたことを特徴とする。
【００１５】
また、本発明における請求項４の建築用スリーブは、請求項１、２又は３において、前記遮音層が一体又は別体で前記スリーブ本体の上端および下端を包囲するように設けられていることを特徴とする。
【００１６】
さらに、本発明における請求項５の建築用スリーブは、請求項１、２、３又は４記載の建築用スリーブにおいて、コンクリートを打設する以前に型枠の上に前記建築用スリーブを取付固定する工程と、コンクリートを充填する工程と、型枠を撤去する工程と、配管を貫装する工程と、スリーブ本体と配管の間の環状部にモルタルを充填する工程とを有することを特徴とする。
【００１７】
【発明の実施の形態】
以下、本発明の実施例について、図面を参照しながら説明する。
【００１８】
（実施例１）
本発明の実施例１による建築用スリーブ１は、図２に示すように、鉄筋コンクリート建築物のコンクリート躯体に配管４を貫装するための開口部５に用いるものであって、スリーブ本体２と該スリーブ本体２の外周面に設けられた振動減衰性を有する遮音層３とからなるものである。
【００１９】
このような建築用スリーブについて詳細に述べると、図１に示すように、スリーブ本体２は金属製から成り、その外周面の遮音層３としては、振動減衰性を有する弾性ゴムを用いることが望ましい。また、この弾性ゴムとして、例えばブチルゴムを使用すると、その塗布作業によってスリーブ本体２の外周面に被覆することが可能となる。
【００２０】
また、上記の建築用スリーブ１は、上部口径よりも下部口径が小径に形成されたテーパ形状を有するのが望ましい。そのため、少なくともスリーブ本体２は所定のテーパ形状に形成しておき、遮音層３としてブチルゴムを用いた場合、テーパ形状のスリーブ本体２の外周面にブチルゴムを塗布することによって、遮音層３もまた必然的にテーパ形状に形成される。
【００２１】
また、遮音層３の弾性ゴム材料としてネオプレンゴムを用いた場合、予めそのゴム材料を用いた成形加工によってテーパ形状の遮音層３を形成しておき、これをスリーブ本体２の外周面に接着材又は弾性装着等の方法で固定する。
【００２２】
いずれの材料を用いた場合でも、建築用スリーブ１をテーパ形状に形成すると、図２に示すように、打設コンクリート６の開口部５の内周もまたテーパ形状に形成されるため、コンクリート床等の開口部５を形成した際にも、この開口部５に接触する建築用スリーブ１が抜け出ることがなく、次の作業工程に移ることができる。
【００２３】
次の作業工程とは、上記の建築用スリーブ１内に配管４を通し、該配管４と建築用スリーブ１との間にモルタル７を充填することであり、この作業によって、図２に示すような断面を有する施工状況となる。
【００２４】
即ち、図２の断面構成は、建築用スリーブ１が遮音層３を介して開口部５周囲の打設コンクリート６に接触すると共に、該建築用スリーブ１とその内部に貫装された配管４との間にモルタル７が充填された状態であり、配管４から伝送される振動音を遮音層３によって減衰するようにしたものである。
【００２５】
従って、配管４内を流体が流れるときに発生する流動音は、モルタル７を介してスリーブ本体２に伝わるが、その振動音は遮音層３によって遮断される結果、コンクリート躯体１には伝達されない。
【００２６】
また、建築用スリーブ１が下方小径口のテーパ形状に形成されているため、その内部に充填されたモルタルも下方にずり落ちることがなく、テーパ形状のスリーブ本体２の内周面によって保持され、この状態で配管４の荷重が支持される。
【００２７】
また、本発明による建築用スリーブ１３は一体として取扱えるため、施工に手間がかからず、従来のように周辺にブラケット等のための無駄なスペースを必要とせず、施工費用を大幅に削減することが可能となる。
【００２８】
なお、図２に示す建築用スリーブ１においては、その上端部及び下端部に被覆が施されている。これは、建築用スリーブ１の構成材料のうち、遮音層３に弾性ゴムを用いた場合に、この遮音層３をロックウール等の耐火材料８で被覆したものである。
【００２９】
（実施例２及び３）
図３に示す実施例２の建築用スリーブ１は、遮音層３が例えば弾性ゴム等で一体的に形成され、スリーブ本体２の上端および下端を包囲するように折り返されて成る（折返部９）ものである。
【００３０】
また、図４に示す実施例３の建築用スリーブ１は、スリーブ本体２の外周面の略全体を覆う遮音層３がブチルゴムで形成され、スリーブ本体２の上端および下端を包囲する断面Ｕ字形のリング形部材１０がネオプレンゴムで予め形成され、このリング形部材１０をスリーブ本体２の上端および下端に嵌め込んだ構成としたものである。
【００３１】
上記のような実施例２、３の建築用スリーブ１によれば、該建築用スリーブ１内に配管４を挿通したとき、スリーブ本体２の上端又は下端に配管４が接触した場合でも、該配管４の表面に傷がつかず、また作業者の手等を傷つけずに作業ができるという施工上の利点を有する。
【００３２】
（実施例４）
さらに、本発明の実施例４として、図５に示すように、スリーブ本体２の外周面に弾性ゴム等の遮音層３を設け、さらにこの遮音層３の外周面に金属製のスリーブ本体２を設けた構成としてもよい。即ち、この構成は、遮音層３の内周面と外周面とを金属製のスリーブ本体２で挟んだ構成としたものであり、弾性ゴム等の遮音層３を両側面から保護し、強度を上げるようにしている。
【００３３】
（実施例５）
また、本発明の実施例５として、図６に示すように、型枠に取り付けた建築用スリーブ１の周囲に床コンクリートやモルタルを打設する時、建築用スリーブ１の内部にコンクリートやモルタルの飛散した塊或いはゴミ等が入らないように、建築用スリーブ１内の開口部５を閉塞するように上蓋１２及び下蓋１３が設けられている。
【００３４】
このような構成において、下蓋１２は、建築用スリーブ１内にて床コンクリートの打設に使用される型枠１１に、釘、ビス等の固定具１４で固定され、下蓋１３の中心部に固定したナット１６にネジ棒１５の下端ネジ部を螺入する一方、上蓋１２の外周は建築用スリーブ１の上端に係合し、上記のネジ棒１５を上蓋１２の中心の開孔に挿通して該ネジ棒１５の上端ネジ部をナット１６で締付けることにより固定した構成としている。
【００３５】
上記の本発明の建築用スリーブ１は、その実施例としてテーパ形状に形成されたものを説明しているが、このスリーブ１を円筒形として、スリーブ本体２の外周面に振動減衰性を有する遮音層３を設けるようにしてもよい。
【００３６】
本発明の建築用スリーブ１を用いた施工方法は、図７のフロー図に示すように、コンクリート６を打設する以前に型枠の上に建築用スリーブ１を取付固定する第１の工程と、コンクリート６を打設する第２の工程と、型枠を撤去する第３の工程と、配管４を貫装する第４の工程と、スリーブ本体２と配管４の間の環状部にモルタル７を充填する第５の工程とを有し、上記のように耐火上の必要に応じて第６の工程として建築用スリーブ１の上端部及び下端部に耐火材料８を施すようにする。
【００３７】
【発明の効果】
以上説明したように、本発明の建築用スリーブは、鉄筋コンクリート建築物のコンクリート躯体に配管を貫装するための開口部に用いる建築用スリーブであって、スリーブ本体と該スリーブ本体の外周面に設けられた振動減衰性を有する遮音層とからなり、開口部に装着された建築用スリーブが遮音層を介して開口部周囲のコンクリート躯体に接触すると共に、該建築用スリーブとその内部に貫装された配管との間にモルタルが充填された状態で配管から伝送される振動音が遮音層によって減衰されるようにしたものである。
【００３８】
従って、上記のような簡単かつ安価に製造し得る構造によって、配管から発生する流動音等は遮音層によって大幅に減衰されるため、配管内部の流動音等の騒音を防止することができ、建物内部を静かに保つことが可能となる。
【００３９】
また、本発明の建築用スリーブをテーパ状に形成すると、打設コンクリートの開口部の内周がテーパ形状として形成され、この開口部に接触する建築用スリーブの抜け出しが防止される。
【００４０】
また、本発明の建築用スリーブにおいて、遮音層が一体又は別体でスリーブ本体の上端および下端を包囲するように設けられた構成とすると、スリーブ本体上端又は下端に配管が接触した場合でも、該配管の表面に傷がつかず、また作業者の手等を傷つけずに作業ができるという利点を有する。
【００４１】
さらに、本発明の建築用スリーブを用いた施工方法によれば、この建築用スリーブは簡単な構成によって一体品として扱うことができるため、施工に手間がかからず、従来例のブラケットのようなスペースも必要とせず、また施工費が大幅に安価となる。
【図面の簡単な説明】
【図１】本発明の実施例１による建築用スリーブの全体斜視図である。
【図２】本発明の実施例１による建築用スリーブの施工状況を示す断面図である。
【図３】本発明の実施例２による建築用スリーブの施工状況を示す断面図である。
【図４】本発明の実施例３による建築用スリーブの施工状況を示す断面図である。
【図５】本発明の実施例４による建築用スリーブの施工状況を示す断面図である。
【図６】本発明の実施例５による建築用スリーブの施工状況を示す断面図である。
【図７】本発明による建築用スリーブの施工方法を示すフロー図である。
【図８】従来の建築用スリーブに関する施工状況を示す断面図である。
【図９】従来の他の建築用スリーブに関する施工状況を示す断面図である。
【符号の説明】
１…建築用スリーブ
２…スリーブ本体
３…遮音層
４…配管
５…開口部
６…コンクリート
７…モルタル
８…耐火材料
９…折返部
１０…リング形部材
１２…上蓋
１３…下蓋
１１…型枠
１４…固定具
１５…ネジ棒
１６…ナット
【図１】
2004068342.tif 000003
【図２】
2004068342.tif 000004
【図３】
2004068342.tif 000005
【図４】
2004068342.tif 000006
【図５】
2004068342.tif 000007
【図６】
2004068342.tif 000008
【図７】
2004068342.tif 000009
【図８】
2004068342.tif 000010
【図９】
2004068342.tif 000011